【手続補正書】
【提出日】平成21年2月16日(2009.2.16)
【手続補正１】
【補正対象書類名】特許請求の範囲
【補正対象項目名】全文
【補正方法】変更
【補正の内容】
【特許請求の範囲】
【請求項１】
複数の資源に関するデータを収集するために複数のユーザ定義スケジュールを受け取るステップと、
少なくとも１つの資源に関する余分なデータ収集を除去するために前記複数のユーザ定義スケジュールの処理に基づいて、前記少なくとも１つの資源に関するデータ収集についてのスケジュールを生成するステップと、
前記生成されたスケジュールに従って、前記少なくとも１つの資源に関する操作を実行するステップと、を含む、
方法。
【請求項２】
前記ユーザ定義スケジュールが、前記データ、前記データを収集するための頻度、および収集される前記データの特性を収集するために監視される選択された資源に関する指示を提供する、請求項１に記載の方法。
【請求項３】
前記生成されたスケジュールに従う前記少なくとも１つの資源に関する前記操作が第１の操作であり、前記生成されたスケジュールに従う前記第１の操作を実行する前記ステップが、前記ユーザ定義スケジュールに直接基づいて前記少なくとも１つの資源を監視する第２の操作の実行と比較してより少ない処理時間を消費する、請求項１または２に記載の方法。
【請求項４】
前記複数の資源が複数のグループに含まれることがあり、前記ユーザ定義スケジュールが、前記複数のグループに関するデータの収集を示し、前記方法が、
前記複数のグループに関する前記データ収集を示す前記ユーザ定義スケジュールが、前記複数の資源に関する前記データの収集において競合を引き起こすかどうかを決定するステップと、
前記生成されたスケジュールにおける前記競合を取り除くステップと、をさらに含む、
請求項１、２または３に記載の方法。
【請求項５】
ユーザ定義スケジュール中の、類似するが同一ではない要求の収集をグループ化するステップと、
前記類似の要求の収集を、生成されたスケジュール中の単一のエンティティに結合するステップと、をさらに含む、
先行請求項のいずれか１項に記載の方法。
【請求項６】
ユーザ定義スケジュールが修正されたという指示を受け取るステップと、
前記修正されたユーザ定義スケジュールおよび他の未修正のユーザ定義スケジュールに基づいて前記スケジュールを再構築するステップと、を含む、
先行請求項のいずれか１項に記載の方法。
【請求項７】
メモリと、
該メモリに結合されたプロセッサと、を含むシステムであって、前記プロセッサが、
複数の資源に関するデータを収集するために複数のユーザ定義スケジュールを受け取り、
少なくとも１つの資源に関する余分なデータ収集を除去するために前記複数のユーザ定義スケジュールの処理に基づいて、前記少なくとも１つの資源に関するデータ収集についてのスケジュールを生成し、
前記生成されたスケジュールに従って、前記少なくとも１つの資源に関する操作を実行する、ように動作可能である、
システム。
【請求項８】
前記ユーザ定義スケジュールが、前記データ、前記データを収集するための頻度、および収集される前記データの特性を収集するために監視される選択された資源に関する指示を提供する、請求項７に記載のシステム。
【請求項９】
前記生成されたスケジュールに従う前記少なくとも１つの資源に関する前記操作が第１の操作であり、前記生成されたスケジュールに従う前記第１の操作を実行する前記ステップが、前記ユーザ定義スケジュールに直接基づいて前記少なくとも１つの資源を監視する第２の操作の実行と比較してより少ない処理時間を消費する、請求項７または８に記載のシステム。
【請求項１０】
前記複数の資源が複数のグループに含まれることがあり、前記ユーザ定義スケジュールが、前記複数のグループに関するデータの収集を示し、前記プロセッサがさらに、
前記複数のグループに関する前記データ収集を示す前記ユーザ定義スケジュールが、前記複数の資源に関する前記データの収集において競合を引き起こすかどうかを決定し、
前記生成されたスケジュールにおける前記競合を取り除く、ように動作可能である、
請求項７、８または９に記載のシステム。
【請求項１１】
前記プロセッサはさらに、
ユーザ定義スケジュール中の、類似するが同一ではない要求の収集をグループ化し、
前記類似の要求の収集を、生成されたスケジュール中の単一のエンティティに結合する、ように動作可能である、
請求項７、８、および９または１０に記載のシステム。
【請求項１２】
前記プロセッサがさらに、
ユーザ定義スケジュールが修正されたという指示を受け取り、
前記修正されたユーザ定義スケジュールおよび他の未修正のユーザ定義スケジュールに基づいて前記スケジュールを再構築する、ように動作可能である、
請求項７〜１１のいずれか１項に記載のシステム。
【請求項１３】
計算インフラストラクチャを導入するための方法であって、コンピュータ可読コードを計算システムに組み入れるステップを含み、前記コードが前記計算システムと共に、
複数の資源に関するデータを収集するために複数のユーザ定義スケジュールを受け取るステップと、
少なくとも１つの資源に関する余分なデータ収集を除去するために前記複数のユーザ定義スケジュールの処理に基づいて、前記少なくとも１つの資源に関するデータ収集についてのスケジュールを生成するステップと、
前記生成されたスケジュールに従って、前記少なくとも１つの資源に関する操作を実行するステップと、を実行することができる、
方法。
【請求項１４】
前記ユーザ定義スケジュールが、前記データ、前記データを収集するための頻度、および収集される前記データの特性を収集するために監視される選択された資源に関する指示を提供する、請求項１３に記載の方法。
【請求項１５】
前記生成されたスケジュールに従う前記少なくとも１つの資源に関する前記操作が第１の操作であり、前記生成されたスケジュールに従う前記第１の操作を実行する前記ステップが、前記ユーザ定義スケジュールに直接基づいて前記少なくとも１つの資源を監視する第２の操作の実行と比較してより少ない処理時間を消費する、請求項１３または１４に記載の方法。
【請求項１６】
前記複数の資源が複数のグループに含まれることがあり、前記ユーザ定義スケジュールが、前記複数のグループに関するデータの収集を示し、前記コードが前記計算システムと共に、
前記複数のグループに関する前記データ収集を示す前記ユーザ定義スケジュールが、前記複数の資源に関する前記データの収集において競合を引き起こすかどうかを決定するステップと、
前記生成されたスケジュールにおける前記競合を取り除くステップと、をさらに実行することができる、
請求項１３、１４または１５に記載の方法。
【請求項１７】
前記コードが前記計算システムと共に、
ユーザ定義スケジュール中の、類似するが同一ではない要求の収集をグループ化するステップと、
前記類似の要求の収集を、生成されたスケジュール中の単一のエンティティに結合するステップと、をさらに実行することができる、
請求項１３、１４、１５または１６に記載の方法。
【請求項１８】
前記コードが前記計算システムと共に、
ユーザ定義スケジュールが修正されたという指示を受け取るステップと、
前記修正されたユーザ定義スケジュールおよび他の未修正のユーザ定義スケジュールに基づいて前記スケジュールを再構築するステップと、をさらに実行することができる、
請求項１３〜１７のいずれか１項に記載の方法。
【請求項１９】
コンピュータ・プログラムであって、該プログラムがコンピュータ上で走らされる場合に、請求項１〜６のいずれか１項に記載の方法を実行するようにされたプログラム・コード手段を含む、コンピュータ・プログラム。